(57)【要約】【課題】本発明は、ＥＭＩを遮蔽できる前面フィルターを有する表示パネルモジュールを提供する。【解決手段】本発明による表示パネルモジュールは表示パネルと；表示パネルと一体化して表示パネル上に形成されるフィルム型前面フィルターと；表示パネルからの電磁波放出を防止するためのフィルム型前面フィルターの電磁波遮蔽膜と接続されてフィルム型前面フィルターの少なくとも一側面を覆いかぶせるように曲がって形成された接地電極を備えることを特徴とする。【選択図】図７
2005045262.tif 000002
【特許請求の範囲】
【請求項１】
表示パネルと；
前記表示パネルと一体化して前記表示パネル上に形成されるフィルム型前面フィルターと；
前記表示パネルからの電磁波放出を防止するための前記フィルム型前面フィルターの電磁波遮蔽膜と接続されて前記フィルム型前面フィルターの少なくとも一側面を覆いかぶせるように曲がって形成された接地電極とを備えることを特徴とする表示パネルモジュール。
【請求項２】
前記フィルム型前面フィルターは、外部光反射を防止するための反射防止膜と、前記表示パネルからの電磁波放出を防止するための導電性パターンと、前記表示パネルの有効画面領域を決定するブラックフレームを含む電磁波遮蔽膜とを含むことを特徴とする、請求項１に記載の表示パネルモジュール。
【請求項３】
前記接地電極は、前記ブラックフレームと一側端が接続されて、前記反射防止膜と他の一側端が接続されることを特徴とする、請求項１又は２に記載の表示パネルモジュール。
【請求項４】
前記接地電極は"Ｃ"字形態に形成されることを特徴とする、請求項１乃至３の何れかに記載の表示パネルモジュール。
【請求項５】
前記接地電極は導電性テープであることを特徴とする、請求項１乃至４の何れかに記載の表示パネルモジュール。
【請求項６】
前記接地電極は銀ファイバーテープ、銀ペースト、ニッケルファイバーテープ及び銅テープのうちいずれか一つを含むことを特徴とする、請求項５に記載の表示パネルモジュール。
【請求項７】
前記接地電極は約１０〜３００μｍの厚さを有することを特徴とする、請求項５又は６に記載の表示パネルモジュール。
【請求項８】
前記接地電極と前記表示パネルの上部基板を接着するための接着剤をさらに備えることを特徴とする、請求項５乃至７の何れかに記載の表示パネルモジュール。
【請求項９】
前記接地電極は少なくとも一部が両面テープで形成された導電性テープであることを特徴とする、請求項１乃至８の何れかに記載の表示パネルモジュール。
【請求項１０】
前記反射防止膜上に位置する接地電極とケースを電気的に接続させるフィルター支持部をさらに備えることを特徴とする、請求項２乃至９の何れかに記載の表示パネルモジュール。
【請求項１１】
前記電磁波遮蔽膜はブラック物質と、前記ブラック物質上に形成される少なくとも一層の金属物質を含むことを特徴とする、請求項２に記載の表示パネルモジュール。
【請求項１２】
前記ブラック物質は、酸化チタン、カドミウムイエロー、黄鉛、モリブデン赤、カドミウムレッド、酸化鉄、銅フタロシアニングリーン／ブルー／群青、カーボンブラック紺青、フタロシアニングリーン、コバルトブルー、コバルトバイオ・レッド、ミネラルバイオ・レッド、酸化クロム、インダンスレンブルー、カーボン、フタロシアニンブルー、アニリンブラック、アゾ顔料、アゾ染料、アゾ化合物、アゾベーシックオキサイド塩基性顔料、金属錯鹽、金属及び金属酸化物のうち少なくともいずれか一つの顔料（染料）：アニリン−ホルムアルデヒド樹脂、アリールグループ、アリール化反応による樹脂を含む樹脂；又はＮｄ２Ｏ３、Ｎｄ系、Ｆｅ及び酸化鉄、Ａｇ及び酸化銀、Ｎｉ及び酸化ニッケル、Ｃｒ及び酸化クロムなど無機物が添加された金属物質のうちいずれか一つで形成されることを特徴とする、請求項１１に記載の表示パネルモジュール。
【請求項１３】
前記電磁波遮蔽膜は金属パターンを黒化処理して形成されることを特徴とする、請求項２、１１又は１２の何れかに記載の表示パネルモジュール。
【請求項１４】
前記金属パターンは、銅、金及びアルミニウムのうちいずれか一つを含むことを特徴とする、請求項１３に記載の表示パネルモジュール。
【請求項１５】
表示パネルと；
前記表示パネル上に形成されるフィルム型前面フィルターと；
前記フィルム型前面フィルターが電気的に接地されるようにする導電性テープとが含まれることを特徴とする表示パネルモジュール。
【請求項１６】
前記導電性テープは、前記フィルム型前面フィルターの少なくとも一側面に付着されたことを特徴とする、請求項１５に記載の表示パネルモジュール。
【請求項１７】
前記導電性テープは、一端が前記表示パネルとフィルム型前面フィルター間に形成されて、他端が前記フィルム型前面フィルターとカバー間に形成されたことを特徴とする、請求項１５又は１６に記載の表示パネルモジュール。
【請求項１８】
前記導電性テープは、前記フィルム型前面フィルターの電磁波遮蔽膜と接触したことを特徴とする、請求項１５乃至１７の何れかに記載の表示パネルモジュール。
【発明の詳細な説明】
【技術分野】
【０００１】
本発明は表示パネルモジュールに係り、特にＥＭＩを遮蔽できる前面フィルターを有する表示パネルモジュールに関する。
【背景技術】
【０００２】
一般に、ＰＤＰはデジタルビデオデータによって画素それぞれのガス放電期間を調節することによって画像を表示する。このようなＰＤＰでは図１に示したように３電極を備えて交流電圧により駆動される交流型ＰＤＰが代表的である。
図１は、一般的な交流（ＡＣ）型ＰＤＰの構造を示した斜視図であって、特に一つのサブ画素に該当する放電セルの構造を図示する。
【０００３】
図１に示した放電セルは上部基板１０上に次々と形成された維持電極対１２Ａ、１２Ｂ、上部誘電体層１４及び保護膜１６を有する上板１５と、下部基板１８上に順次形成されたデータ電極２０、下部誘電体層２２、隔壁２４及び蛍光体層２６を有する下板２５とを備える。
上部基板１０と下部基板１８は隔壁２４により平行に離隔して配置される。
【０００４】
前記維持電極対１２Ａ、１２Ｂそれぞれは相対的に広い幅を有する可視光透過のための透明電極と、相対的に狭い幅を有する透明電極の抵抗成分を補償するための金属電極で構成される。
このような維持電極対１２Ａ、１２Ｂは走査電極１２Ａ及び維持電極１２Ｂで構成される。走査電極１２Ａはデータ供給時間を決定する走査信号と放電維持のための維持信号を供給し、維持電極１２Ｂは放電維持のための維持信号を主に供給する。
【０００５】
上部誘電体層１４と下部誘電体層２２にはガス放電時生成された電荷が蓄積される。
保護膜１６はプラズマのスパッタリングによる上部誘電体層１４の損傷を防止してＰＤＰの寿命を増やすだけでなく２次電子の放出効率を高める。保護膜１６としては通常酸化マグネシウム（ＭｇＯ）が利用される。
このような誘電体層１４、２２と保護膜１６は外部から印加される放電電圧を低くめることができるようにする。データ電極２０は維持電極対１２Ａ、１２Ｂと交差するように形成される。このデータ電極２０は表示されるセルを選択するためのデータ信号を供給する。
【０００６】
隔壁２４は、上下部基板１０、１８と共に放電空間を形成すると共に、データ電極２０と並んで形成されてガス放電で生成された紫外線が隣接したセルに漏れることを防止する。
蛍光体層２６は、下部誘電体層２２及び隔壁２４の表面に塗布されて赤色、緑色または青色のうちいずれか一つの可視光線を発生する。
【０００７】
放電空間にはガス放電のためのＨｅ、Ｎｅ、Ａｒ、Ｘｅ、Ｋｒなどの不活性ガス、これらが組合された放電ガス、または放電により紫外線を発生させることができるエキシマ（Ｅｘｃｉｍｅｒ）ガスが充填される。
このような構造の放電セルはデータ電極２０と走査電極１２Ａ間の対向放電により選択され、次に、維持電極対１２Ａ、１２Ｂ間の面放電により放電を維持する。これにより、放電セルでは維持放電時発生する紫外線により蛍光体２６が発光することによって可視光がセル外部に放出される。この場合、放電セルはビデオデータによってセルの放電維持期間、すなわち維持放電回数を調節して階調（Ｇｒａｙ  Ｓｃａｌｅ  Ｌｅｖｅｌ）を具現する。
【０００８】
図２は、図１に示したＰＤＰ３０を含むＰＤＰセットを概略的に示した分解斜視図であり、図３は図２に示したＰＤＰセットの一側面を示した断面図である。
図２及び図３に示したＰＤＰセットはケース６０と、ケース６０内に受納される印刷回路基板（Ｐｒｉｎｔｅｄ  Ｃｉｒｃｕｉｔ  Ｂｏａｒｄ；以下、ＰＣＢと称する）５０、ＰＤＰ３０、ガラス型前面フィルター４０と、ガラス型前面フィルター４０の前面外廓部を覆いかぶせながらケース６０と締結されるカバー７０を備える。
【０００９】
ＰＤＰ３０は図１に示したような上板１５と下板２５が接合されて形成される。
ＰＤＰ３０の背面側に位置するＰＣＢ５０は、ＰＤＰ３０に形成された維持電極対１２Ａ、１２Ｂ及びアドレス電極２０を駆動するための複数の駆動及び制御回路を備える。このようなＰＣＢ５０とＰＤＰ３０の間にはＰＤＰ３０及びＰＣＢ５０から放出される熱を放出させるための放熱板８０が設置される。
【００１０】
ガラス型前面フィルター４０はＰＤＰ３０から前面側に発生した電磁波遮蔽、外部光反射防止、近赤外線遮蔽、そして色補正のような機能をする。これのために、ガラス型前面フィルター４０は、図４に示したように、ガラス基板４２の前面に付着された第１反射防止膜４４と、ガラス基板４２の背面に次々と付着した電磁波遮蔽膜４６、近赤外線遮蔽膜４８、色補正膜５２、そして第２反射防止膜５４を備える。
【００１１】
ガラス基板４２は、強化ガラスを用いてガラス型前面フィルター４０を支持して、前面フィルター４０及びＰＤＰ３０が外部衝撃により破損しないように保護する。第１及び第２反射防止（Ａｎｔｉｒｅｆｌｅｃｔｉｏｎ）膜４４、５４は、外部から入射した光が再び外部に反射されることを防止してコントラストを向上させる。
電磁波遮蔽膜４６はＰＤＰ３０から発生した電磁波を吸収してその電磁波が外部に放出されることを遮蔽する。近赤外線（Ｎｅａｒ  ＩｎｆｒａＲｅｄ）遮蔽膜４８は、ＰＤＰ３０で発生した約８００〜１０００ｎｍ波長帯域の近赤外線を吸収して外部に放射されることを遮蔽することによってリモコンなどで発生した制御用赤外線（約９４７ｎｍ程度）が近赤外線の妨害なしにＰＤＰセットに用意された赤外線受信部に正常に入力されることができるようにする。色補正膜５２は、色調節染料（Ｃｏｌｏｒ  Ｄｙｅ）を含んで色調を調節することによって色純度を高める。このような複数の薄膜４４、４６、４８、５２、５４は、粘着体または接着剤を介してガラス基板４２に付着される。
【００１２】
一方、ガラス型前面フィルター４０は、図５のようにフィルター支持部８２と接続されたガスケット７８を介してケース６０と電気的に接続される。これを詳細に説明すると、フィルター支持部８２は、ガラス型前面フィルター４０の一側端で前面フィルター４０の背面に接続される。この時、フィルター支持部８２は、ＰＤＰ３０と離隔されているガラス型前面フィルター４０の電磁波遮蔽膜４６と電気的に接続される。すなわち、フィルター支持部８２は、前面フィルター４０をケース６０に接続させて電磁波及び／または近赤外線を遮蔽する。
【００１３】
ケース６０は、ＰＣＢ５０及びガラス型前面フィルター４０と共に受納されるＰＤＰ３０を外部衝撃から保護すると共にＰＤＰ３０の側面及び背面に放出される電磁波を遮蔽する。また、ケース６０は、ガラス型前面フィルター４０をＰＤＰ３０と離隔されるようにその背面側で支持するフィルター支持部８２を介してガラス型前面フィルター４０の電磁波遮蔽膜４６と電気的に接続される。これにより、ケース６０は、ガラス型前面フィルター４０の電磁波遮蔽膜４６と共にグラウンド電源に接地されてＰＤＰ３０から放出された電磁波を吸収して放電させることによって電磁波が外部に放出されることを遮蔽する。
【００１４】
カバー７０は、ガラス型前面フィルター４０の前面外廓部を覆いかぶせながらケース６０と締結される。
このように、従来のＰＤＰセットは電磁波を遮蔽すると共に光学特性を補正するためのガラス型前面フィルター４０を用いる。しかし、ガラス型前面フィルター４０は相対的に厚いガラス基板、すなわち強化ガラス４２を含むことによってＰＤＰセットの厚さ及び重さ増加の主要原因になるだけでなく製造原価が高いという短所を有する。
【００１５】
これにより、図６に示したようにガラス基板を除去したフィルム型前面フィルターが提案された。図６に示したフィルム型前面フィルター９０は、ＰＤＰ３０の上板１５に順次付着した色補正膜９８、近赤外線遮蔽膜９６、電磁波遮蔽膜９４、そして反射防止膜９２を備える。
反射防止膜９２は、外部から入射した光が再び外部に反射されることを防止する。電磁波遮蔽膜９４は、ＰＤＰ３０から発生した電磁波を吸収して放電させることによってその電磁波が外部に放出されることを遮蔽する。近赤外線遮蔽膜９６は、ＰＤＰ３０で発生した近赤外線を吸収して外部に放射されることを遮蔽する。色補正膜９８は色調節染料を含んで色調を調節することによって色純度を高める。このような複数の薄膜９２、９４、９６、９８は、粘着体または接着剤を介してＰＤＰ３０の上板１５に付着される。
【００１６】
このようなフィルム型前面フィルター９０は、ガラス型前面フィルター４０に比べて重さが軽いと共に薄形化できるという長所がある。また、フィルム型前面フィルター９０は、ガラス型前面フィルター４０に比べて製造費用を節減できる。しかし、ＰＤＰ３０と一体化するフィルム型前面フィルター９０によってフィルム型前面フィルター９０の背面に位置する電磁波遮蔽膜９４とフィルター支持部が電気的に接続されることができないので、フィルム型前面フィルター９０はＥＭＩを遮蔽できない問題点がある。
【発明の開示】
【発明が解決しようとする課題】
【００１７】
本発明の目的はＥＭＩを遮蔽できる前面フィルターを有する表示パネルモジュールを提供することにある。
【課題を解決するための手段】
【００１８】
本発明による表示パネルモジュールは表示パネルと；前記表示パネルと一体化して前記表示パネル上に形成されるフィルム型前面フィルターと；前記表示パネルからの電磁波放出を防止するための前記フィルム型前面フィルターの電磁波遮蔽膜と接続されて前記フィルム型前面フィルターの少なくとも一側面を覆いかぶせるように曲がって形成された接地電極とを備えることを特徴とする。
【００１９】
また、本発明による表示パネルモジュールは表示パネルと；前記表示パネル上に形成されるフィルム型前面フィルターと；前記フィルム型前面フィルターが電気的に接地されるようにする導電性テープとが含まれることを特徴とする。
【発明の効果】
【００２０】
本発明による表示パネルモジュールは導電性テープを前面フィルターの内側から外側の方へ接地して電磁波遮蔽膜を接地させることによってフィルム型前面フィルターを備えたＰＤＰの電磁波及び／または近赤外線を遮蔽できる。
また、電磁波遮蔽膜に含まれたブラック物質がユーザーの目で見る面に形成されてコントラスト低下を防止することができ、導電性パターンとブラック物質が同時にパターニングされて形成されるので黒化形成工程を減らすことができて工程が単純になり費用が節減される。
【発明を実施するための最良の形態】
【００２１】
以下、本発明の望ましい実施形態に対して図７及び図８を参照して詳細に説明する。
図７は、本発明によるフィルム型前面フィルターを示す断面図である。
図７に示したフィルム型前面フィルター１６０は、ＰＤＰ１３０の上板１１５に次々と付着した電磁波遮蔽膜１７２及び反射防止膜１６２を備える。
反射防止膜１６２は、第１ベースフィルム１２０の前面に形成されて外部から入射した光が再び外部に反射されることを防止する。
【００２２】
電磁波遮蔽膜１７２は、ＰＤＰ１３０から発生した電磁波を吸収して放電させることによってその電磁波が外部に放出されることを遮蔽する。この電磁波遮蔽膜１７２は第１ベースフィルム１２０の背面と接着剤１２６を介して前面が接着される第２ベースフィルム１２２の背面に形成される。このような電磁波遮蔽膜１７２は、導電性メッシュ１６８と、導電性メッシュ１６８を支持するブラックフレーム１７０を含む。
【００２３】
導電性メッシュ１６８は有効画面領域に形成されて、ＰＤＰ１３０からの可視光透過率を確保するために多角形構造のホールを用意する。
この導電性メッシュ１６８は、ブラック物質１６４ａ、ブラック物質１６４ａ上に形成される金属層１６４ｂをフォトリソグラフィ工程でパターニングして形成される。
金属層１６４ｂは、銀（Ａｇ）または銅（Ｃｕ）などの第１金属層と、第１金属層上に透明伝導性物質で形成される第２金属層で構成されたり、第１金属層からなる単層で構成される。
【００２４】
ここで、第１及び第２金属層で構成された金属層を含む電磁波遮蔽膜１７２は、ＰＤＰ１３０で発生した近赤外線を吸収して外部に放射されることを遮蔽する。一方、第１金属層で構成された金属層を含む電磁波遮蔽膜１７２を有するフィルム型前面フィルター１６０は、別途の近赤外線遮蔽膜（図示せず）を備えることができる。
ブラックフレーム１７０は有効画面領域の外廓部、すなわち非有効画面領域に形成される。このブラックフレーム１７０は導電性メッシュ１６８と同一な物質で形成される。
【００２５】
ここで、ブラックフレーム１７０と導電性メッシュ１６８に含まれるブラック物質１６４ａは酸化チタン（ルチル型、アナタース型）、黄鉛、モリブデン赤、カドミウムレッド、酸化鉄、銅フタロシアニングリーン／ブルー／群青、カーボンブラック（Ｃａｒｂｏｎ  Ｂｌａｃｋ）紺青、フタロシアニングリーン、コバルトブルー（Ｃｏｂａｌｔ  ｂｌｕｅ）、コバルトバイオ・レッド（Ｃｏｂａｌｔ  Ｂｉｏ  Ｒｅｄ）、ミネラルバイオ・レッド（Ｍｉｎｅｒａｌ  Ｂｉｏ  Ｒｅｄ）、酸化クロム、インダンスレンブルー、カーボン１、カーボン２、フタロシアニンブルー、アニリンブラック（Ａｎｉｌｉｎｅ  Ｂｌａｃｋ）、アゾ顔料（Ａｚｏ  Ｐｉｇｍｅｎｔ）、アゾ染料（ＡｚｏＤｙｅ）、アゾ化合物、アゾベーシックオキサイド塩基性顔料（Ａｚｏ  Ｂａｓｉｃ  Ｏｘｉｄｅ  Ｐｉｇｍｅｎｔ）、金属錯鹽、金属及び金属酸化物のうち少なくともいずれか一つの顔料または染料で形成される。または、アニリン−ホルムアルデヒド樹脂、アリールグループ（Ａｒｙｌ  Ｇｒｏｕｐ）、アリール化（Ａｒｙｌａｔｉｏｎ）反応による樹脂で形成される。またはＮｄ２Ｏ３、Ｎｄ系、Ｆｅ及び酸化鉄、Ａｇ及び酸化銀、Ｎｉ及び酸化ニッケル、Ｃｒ及び酸化クロムなど無機物が添加された物質で形成される。
【００２６】
一方、電磁波遮蔽膜１７２は、銀（Ａｇ）、銅（Ｃｕ）、金（Ａｕ）、アルミニウム（Ａｌ）等の金属層をパターニングした後形成された金属パターンの表面を黒化させ単一層で形成されることもできる。黒化された金属層で形成された電磁波遮蔽膜１７２は、ＰＤＰ１３０から発生した電磁波を吸収して放電させることによってその電磁波が外部に放出されることを遮蔽すると共に有効画面領域を決定するブラックフレームとして利用される。
【００２７】
色補正膜（図示せず）は色調節染料を含んで色調を調節することによって色純度を高める。
このような複数の薄膜１６２、１７２はベースフィルム１２０、１２２、１２４上に形成されて粘着体または接着剤を介して一体化してＰＤＰ１３０の上板１１５に付着される。
【００２８】
ＰＤＰ１３０に含まれる上板１１５及び下板１２５は内部にガス放電空間を用意しながら相互に合着されて、そのガス放電を利用して画像を表示する。
一方、本発明によるフィルム型前面フィルターの導電性テープ１７６は、電磁波遮蔽膜１７２と連結されると共にフィルム型前面フィルター１６０の側面を覆いかぶせるように"Ｃ"字または"コ"字形態に形成される。この導電性テープ１７６は、図８に示したようにフィルター支持部１８２と接続されたスプリングガスケット１７８を介してカバー１８０またはケース（図示せず）と電気的に接続されて、電磁波遮蔽膜のブラックフレーム１７０をケースと接地させるための接地用電極として利用される。すなわち、導電性テープ１７６を介して電磁波遮蔽膜１７２はケースと電気的に接続されて電磁波及び／または近赤外線を遮蔽する。このような導電性テープ１７６は銀ファイバーテープ（Ａｇ  Ｆｉｂｅｒ  Ｔａｐｅ）、銀ペースト（Ａｇ  ｐａｓｔｅ）、ニッケルファイバーテープ（Ｎｉ  Ｆｉｂｅｒ  Ｔａｐｅ）、銅テープ（Ｃｕ  Ｔａｐｅ）、金属合金などで約１０〜３００μｍの厚さを有するように形成される。
【００２９】
導電性テープ１７６は、電磁波遮蔽膜１７２のブラックフレーム１７０と接触するようにブラックフレーム１７０に付着された後、フィルム型前面フィルター１６０の少なくとも一側面を覆いかぶせるように曲がって反射防止膜１６２の縁に付着される。
電磁波遮蔽膜１７２のブラックフレーム１７０に導電性テープ１７６を付着して、この導電性テープ１７６の背面またはＰＤＰの上板１１５に接着剤１２６を塗布し、次に導電性テープ１７６を前面フィルター１６０の側面を覆いかぶせるように上に曲げて反射防止膜１６２の縁に付着する。導電性テープ１７６の背面またはＰＤＰの上板１１５に塗布された粘着剤を利用してＰＤＰ１３０とフィルム型前面フィルター１６０が一体化される。
【００３０】
または、導電性テープ１７６の少なくとも一部を両面テープで形成して電磁波遮蔽膜のブラックフレーム１７０と導電性テープ１７６が相互に接触すると共に導電性テープ１７６とＰＤＰの上板１１５が相互に接触する。
以後、導電性テープ１７６をフィルム型前面フィルター１６０の側面を覆いかぶせるように上に曲げて反射防止膜１６２の縁に付着する。これにより、導電性テープ１７６を介してブラックフレーム１７０と接地させることができ、導電性テープ１７６を介してＰＤＰ１３０とフィルム型前面フィルター１６０が一体化される。
【００３１】
このように導電性テープ１７６は、ＰＤＰ１３０の上板１１５と粘着剤または接着剤１２６を介して接着される。または、導電性テープ１７６が相対的に薄く形成し、別途の接着剤または粘着剤を介してＰＤＰ１３０の上板１１５と接着する。
上述したように、本発明による表示パネルモジュールは導電性テープを前面フィルターの内側から外側の方へ接地して電磁波遮蔽膜を接地させることによって、フィルム型前面フィルターを備えたＰＤＰの電磁波及び／または近赤外線を遮蔽できる。
【００３２】
また、電磁波遮蔽膜に含まれたブラック物質がユーザーの目で見る面に形成されてコントラスト低下を防止することができて、導電性パターンとブラック物質が同時にパターニングされて形成されるので黒化形成工程を減らすことができて工程が単純になり費用が節減される。
以上説明した内容を介して当業者ならば本発明の技術思想を逸脱しない範囲で多様な変更及び修正が可能なことがわかることである。したがって、本発明の技術的範囲は明細書の詳細な説明に記載された内容に限定されることでなく特許請求の範囲により定められなければならないことである。
【産業上の利用可能性】
【００３３】
本発明によれば、表示パネルモジュールで電磁波または近赤外線を效果的に遮蔽できる。
【図面の簡単な説明】
【００３４】
【図１】従来の３電極交流面放電型プラズマディスプレーパネルの構造を示した斜視図。
【図２】図１に示したプラズマディスプレーパネルを含むプラズマディスプレーパネルセットの分解斜視図。
【図３】図２に示したプラズマディスプレーパネルセットの垂直構造を示した断面図。
【図４】図２に示したガラス型前面フィルターとプラズマディスプレーパネルの垂直構造を示した断面図。
【図５】ガラス型前面フィルターとフィルター支持部の接続関係を詳細に示す断面図。
【図６】従来のフィルム型前面フィルターが付着されたプラズマディスプレーパネルの垂直構造を示した断面図。
【図７】本発明によるフィルム型前面フィルターが装着されたプラズマディスプレーパネルの垂直構造を示した断面図。
【図８】図７に示したフィルム型前面フィルターとフィルター支持部の接続関係を詳細に示す断面図。
【符号の説明】
【００３５】
１０；上部基板                          １２Ａ；走査電極
１２Ｂ；維持電極                        １４；上部誘電体層
１５；上板                             １６；保護膜
１８；下部基板                          ２０；データ電極
２２；誘電体層                          ２４；隔壁
２５；下板                             ２６；蛍光体層
３０；ＰＤＰ                            ４０；ガラス型前面フィルター
４２；ガラス基板                        ４４；第１反射防止膜
４６；電磁波遮蔽膜                      ４８；近赤外線遮蔽膜
５０；印刷回路基板                      ５２；色補正膜
５４；第２反射防止膜                    ６０；ケース
７０；カバー                            ７８；ガスケット
８０；放熱板                            ８２；フィルター支持部
９０；フィルム型前面フィルター   ９２；反射防止膜
９４；電磁波遮蔽膜                      ９６；近赤外線遮蔽膜
９８；色補正膜                          １１５；上板
１２０；第１ベースフィルム              １２２；第２ベースフィルム
１２４；第３ベースフィルム              １２５；下板
１２６；接着剤                          １３０；ＰＤＰ
１６０；フィルム型前面フィルター        １６２；反射防止膜
１６４ａ；ブラック物質                 １６４ｂ；金属層
１６８；導電性メッシュ                 １７０；ブラックフレーム
１７２；電磁波遮蔽膜                    １７６；導電性テープ
１７８；スプリングガスケット            １８０；カバー
１８２；フィルター支持部
【図１】
2005045262.tif 000003
【図２】
2005045262.tif 000004
【図３】
2005045262.tif 000005
【図４】
2005045262.tif 000006
【図５】
2005045262.tif 000007
【図６】
2005045262.tif 000008
【図７】
2005045262.tif 000009
【図８】
2005045262.tif 000010